(57)【要約】【課題】  多極コネクタであっても端子の結線部での半田付け及び通電カシメ、溶接等による結線を容易とする電気コネクタを提供することを目的とする。【解決手段】  相手コネクタと嵌合する嵌合筒状部１１の内方に、相手コネクタの対応接触部と接続される接触部１３Ａを有する複数の端子１３が配設され、該端子の接触部と導通し取付機器内部で外部のケーブルが結線される結線部２３Ｂ，２４Ｂ，２５Ｂを嵌合方向で上記接触部１３Ａに対し反対側に有している電気コネクタにおいて、端子の結線部を取付機器内部に有する結線部側は接触部１３Ａの隣接端子間間隔よりも大きい間隔で結線部２３Ｂ，２４Ｂ，２５Ｂが配設されている配列部２２を有している。【選択図】  図１
2006031986.tif 000002
【特許請求の範囲】
【請求項１】
相手コネクタと嵌合する嵌合筒状部の内方に、相手コネクタの対応接触部と接続される接触部を有する複数の端子が配設され、該端子の接触部と導通し取付機器内部で外部のケーブルが結線される結線部を嵌合方向で上記接触部に対し反対側に有している電気コネクタにおいて、端子の結線部を取付機器内部に有する結線部側は接触部の隣接端子間間隔よりも大きい間隔で結線部が配設されている配列部を有していることを特徴とする電気コネクタ。
【請求項２】
配列部は取付機器内部で平面をなして拡がっており、結線部が該配列部上で平面をなして配列されていることとする請求項１に記載の電気コネクタ。
【請求項３】
電気コネクタが端子の接触部を有する接触部側の第一半体コネクタと端子の結線部を有する結線部側の第二半体コネクタとに結合可能に分割されていることとする請求項１又は請求項２に記載の電気コネクタ。  
【請求項４】
第一及び第二半体コネクタは、一方の半体コネクタの端子が嵌合筒状部の周方向に延びる嵌入部を有し、他方の半体のコネクタの端子が上記嵌入部を受入れる受入部を有していて上記嵌合筒状部の周方向に所定角だけ回転することにより、上記嵌入部と受入部とが係合し結合されることとする請求項３に記載の電気コネクタ。
【請求項５】
第一及び第二半体コネクタは、一方の半体コネクタの端子が略Ｌ字状に屈曲形成されて延びる嵌入部を有し、他方の半体コネクタの端子が上記嵌入部を受入れる受入部を有していて、相手コネクタとの嵌合方向と垂直な面でスライドすることにより、上記嵌入部と受入部とが係合し結合されることとする請求項３に記載の電気コネクタ。
【請求項６】
相手コネクタと嵌合する嵌合筒状部の内方に、相手コネクタの対応接触部と接続される接触部を有する複数の端子が配設され、上記接触部に対し反対側が取付機器内部に接続される電気コネクタにおいて、相手コネクタとの嵌合方向で上記接触部に対し反対側の後部に絶縁材が設けられ、略Ｌ字状に屈曲形成された舌片部が嵌合方向と垂直な方向に延びる状態で該絶縁体により保持されつつ上記端子の後部に連結されていることを特徴とする電気コネクタ。
【請求項７】
相手コネクタの端子の舌片部が圧入クランプされる受入部が形成された端子と、該受入部と導通した結線部が配列された配列部とを有し、該配列部は取付機器内部に平面をなして拡がっており、結線部が該配列上の平面で上記受入部同士間間隔よりも大きい間隔で配設されていることを特徴とする電気コネクタ。
【発明の詳細な説明】
【技術分野】
【０００１】
本発明は、相手コネクタの端子と接続される端子の一端側に接触部を有し、他端側に外部のケーブルが半田付け及び通電カシメ、溶接等により結線される結線部を有する電気コネクタに関する。
【背景技術】
【０００２】
この種の電気コネクタとしては、例えば特許文献１に開示されているものが知られている。
【０００３】
この特許文献１のコネクタは、取付用フランジ付きの嵌合用筒状体の内部に、絶縁体を介して端子が保持されている。この端子は上記嵌合筒状体の軸線方向に延びていて、該筒状体の開口近傍にまで延びるピン状の一端部を接触部とし、他端部が外方に突出する結線部として形成されている。この結線部は一部切欠きのある中空部をなし、この中空部へケーブルの芯線の端部が挿入された後に半田によって結線されるようになっている。
【０００４】
特許文献１では、上記端子が一本だけの例を図示しているが、端子が複数設けることが可能であると示唆している。
【０００５】
また、市場では、このような複数の端子をもつ多極コネクタ、例えば、いわゆる多極丸形コネクタが流通しており、また非特許文献１でも紹介されている。
【特許文献１】特開昭６３−２５２３７４
【非特許文献１】コネクタ用語（ＲＣ−５２００）第９頁                      １９９３年１２月  社団法人日本電子機械工業会発行
【発明の開示】
【発明が解決しようとする課題】
【０００６】
しかしながら、特許文献１のものを多極とした場合、隣接端子の結線部同士の距離が小さくなり、半田結線の作業がやりにくい。特に中央に位置する端子については、他の端子に囲まれているので半田結線しにくい。端子の数が多い程、又、コネクタが小型になる程、これは顕著である。
【０００７】
さらには、半田不良が中央に位置する端子について発見されたときの半田のやり直しは、きわめて困難で、不可能な場合もある。その場合には、すべての端子についてケーブルを外し、再びこれらについて半田結線を行わねばならない。
【０００８】
本発明は、このような事情に鑑み、多極コネクタにあっても、端子の結線部での半田結線を容易とする電気コネクタを提供することを目的とする。
【課題を解決するための手段】
【０００９】
本発明に係る電気コネクタは、相手コネクタと嵌合する嵌合筒状部の内方に、相手コネクタの対応接触部と接続される接触部を有する複数の端子が配設され、該端子の接触部と導通し取付機器内部で外部のケーブルが結線される結線部を嵌合方向で上記接触部に対し反対側に有している。
【００１０】
かかる電気コネクタにおいて、本発明は、端子の結線部を取付機器内部に有する結線部側は接触部の隣接端子間間隔よりも大きい間隔で結線部が配設されている配列部を有していることを特徴としている。
【００１１】
このような構成の本発明によれば、配列部で結線部が大きい間隔で配設されているので、結線作業が容易に行えるし、結線不良に対する再結線も不良端子のみについて対応できる。
【００１２】
本発明において、配列部は、取付機器の取付面に対応して、取付機器内部で平面をなして拡がり、結線部が該配列部上で平面をなして配列されているようにすることができる。この場合、結線部同士間が拡がっていて結線作業が楽に行えるのみならず、結線部自体も面積を大きくできるので結線が確実に行える。
【００１３】
また、本発明において、電気コネクタが端子の接触部を有する接触部側の第一半体コネクタと端子の結線部を有する結線部側の第二半体コネクタとに結合可能に分割されているようにするならば、結線部での半田結線作業が第一半体コネクタを外した第二半体コネクタのみの状態で行え、その作業が楽になる。又、第二半体コネクタを結線したまま、第一半体コネクタのみを交換することができる。
【００１４】
本発明において、第一及び第二半体コネクタは、一方の半体コネクタの端子が嵌合筒状部の周方向に延びる嵌入部を有し、他方の半体のコネクタの端子が上記嵌入部を受入れる受入部を有していて上記嵌合筒状部の周方向に所定角だけ回転することにより、上記嵌入部と受入部とが係合し結合されるようにすることができる。
【００１５】
さらには、本発明では、第一及び第二半体コネクタは、一方の半体コネクタの端子が略Ｌ字状に屈曲形成されて延びる嵌入部を有し、他方の半体コネクタの端子が上記嵌入部を受入れる受入部を有していて、相手コネクタとの嵌合方向と垂直な面でスライドすることにより、上記嵌入部と受入部とが係合し結合されるようにすることが可能である。
【００１６】
また、本発明は、他の形態として、相手コネクタと嵌合する嵌合筒状部の内方に、相手コネクタの対応接触部と接続される接触部を有する複数の端子が配設され、上記接触部に対し反対側が取付機器内部に接続される電気コネクタにおいて、相手コネクタとの嵌合方向で上記接触部に対し反対側の後部に絶縁材が設けられ、略Ｌ字状に屈曲形成された舌片部が嵌合方向と垂直な方向に延びる状態で該絶縁体により保持されつつ上記端子の後部に連結されていることを特徴としている。
【００１７】
また、本発明は、上記舌片部を有しているコネクタを相手コネクタとする電気コネクタにも関しており、相手コネクタの端子の舌片部が圧入クランプされる受入部が形成された端子と、該受入部と導通した結線部が配列された配列部とを有し、該配列部は取付機器内部に平面をなして拡がっており、結線部が該配列上の平面で上記受入部同士間間隔よりも大きい間隔で配設されていることを特徴としている。
【発明の効果】
【００１８】
本発明は、以上のように、コネクタを接触部側と反対側の結線部側に配列部を設けて、この配列部に大きな間隔をもって結線部を形成することとしたので、この結線部に対して楽にケーブルを半田等により結線できて結線作業を容易とするのみならず結線自体もより確実なものとなり、コネクタを使用する機器の信頼性をも向上する。  
【発明を実施するための最良の形態】
【００１９】
以下、添付素面にもとづき、本発明の一実施形態を説明する。
【００２０】
本実施形態では、電気コネクタ１は、二つの第一及び第二半体コネクタ１０，２０を分離可能に結合して成っている。図１は両半体コネクタ１０，２０を分離した状態で示している。
【００２１】
第一半体コネクタ１０は、矢印Ａで示す嵌合方向で相手コネクタ（図示せず）と嵌合する嵌合筒状部１１を有し、この嵌合筒状部１１には上記Ａ方向で中間部に半径方向に延び取付孔１２Ａが形成された取付フランジ１２が設けられている。該嵌合筒状部１１は、金属等の比較的高強度な材料で作られている。この嵌合筒状部１１の内部は、相手コネクタ受入空間１１Ａを上方に開口して形成し、嵌合方向にて上記取付フランジ１２に対応する位置に設けられた絶縁体によりピン状の複数の端子１３が保持されている。該端子１３は上記嵌合筒状部１１の開口縁近傍まで延び、その先端側が接触部１３Ａをなしている。
【００２２】
上記嵌合筒状部１１の下部側には、後部絶縁体１４が取付けられている。該絶縁体１４には、中心位置に、位置決め用のボス１４Ａ及び外周に、突部１４Ｃが形成されている。
【００２３】
上記絶縁体１４は下面の三位置に長円状の凹部１４Ｂが形成されていて、ここに連結片１５が収められている。該連結片１５は、金属片を屈曲して作られていて、上記凹部１４Ｂの底面に接面する取付部１５Ａと、該取付部１５Ａから凹部１４Ｂ外へ延出する延出部１５Ｂと、該延出部１５Ｂに対して直角に屈曲されてコネクタの周方向に向く嵌入部として形成された舌片部１５Ｃとを有している。三つの連結片１５のそれぞれの舌片部１５Ｃは、嵌合筒状部１１の軸線を中心とした一つの円上に位置し、いずれも周方向で同一の方向に向いている。
【００２４】
各連結片１５の取付部１５Ａは、上記凹部１４Ｂへ突出する対応端子１３の下端とカシメ等により連結されている。
【００２５】
次に、第二半体コネクタ２０は、上記第一半体コネクタ１０と連結するための連結部２１と、該連結部２１から延出する配列部２２と、上記第一半体コネクタ１０の各連結片１５を介して対応端子１３と接続される端子２３，２４，２５とを有している。
【００２６】
この第二半体コネクタ２０については、ケーブルが結線された状態で一部破断して示す図２そして各部材を分離して示す図３をも参照しつつ説明することとする。図３に見られるように、第二半体コネクタ２０の絶縁材料から成るハウジングは、端子を収容する収容体２６と、該収容体２６に収められた端子を覆うようにして収容体２６に取りつけられるカバー体２７とから成っている。
【００２７】
上記収容体２６は、三方に設けられた縁部２８Ａと底板２８Ｂにより、一方に開放された浅い四角形の収容空間２８Ｃを形成する上板部２８と、該上板部２８から下方へ弧状に延びる下板部２９とを有している。
【００２８】
上記下板部２９は、図示の例の場合、左方へ約四分の一円をなして延びる弧状板として形成されており、周囲の縁には部分的に鍔部２９Ａを有している。該下板部２９の板面には、長短三種の溝３０，３１，３２が形成されていて、それぞれの上端側、３０Ａ，３１Ａ，３２Ａは交差しないで上記収容空間２８Ｃへ達するように上方へ屈曲して延び、かつ下端側３０Ｂ，３１Ｂ，３２Ｂは該下板部２９の下縁で開口している。図示の場合、下端側３０Ｂと３１Ｂとはつながっている。
【００２９】
端子２３，２４，２５は、それぞれ、収容体２６の対応溝３０，３１，３２に収まる形状に金属板を加工して帯状に作られ、上端側が収容空間２８Ｃに収まるようになっている。上記端子２３，２４，２５の上端側は上記収容体２６の底板２８Ｂの面に沿うように屈曲された後、両側縁を巻き込むように湾曲形成され、結合部２３Ａ，２４Ａ，２５Ａを形成している。この結合部２３Ａ，２４Ａ，２５Ａは、その巻込み端と平坦部との間に上記第一半体コネクタ１０の連結片１５の三つの嵌入部としての舌片部１５Ｃがそれぞれ嵌入されるように、受入部として間隙を形成している。したがって、上記三つの結合部２３Ａ，２４Ａ，２５Ａは、上記三つの舌片にそれぞれ対応する位置そして向きとなるように、同一円上で開口が同じ周方向を向いている。
【００３０】
さらに、上記端子２３，２４，２５は、それぞれ下端側に板面内で変向された平坦面をなす結線部２３Ｂ，２４Ｂ，２５Ｂを有している。これらの端子２３，２４，２５は、上記対応溝３０，３１，３２にそれぞれ収容されたとき、上記結線部２３Ｂ，２４Ｂ，２５Ｂは上記溝３０，３１，３２の下端側３０Ｂ，３１Ｂ，３２Ｂにそれぞれ位置するようになる。
【００３１】
カバー体２７は、上板部３３と下板部３４とを有しており、上板部３３は上記収容体２６の収容空間２８Ｃに収まる外形をなし、下板部３４は、上記収容体２６に対して、上記鍔部２９Ａに縁部が当接して、上記溝３０，３１，３２の下端側３０Ｂ，３１Ｂ，３２Ｂの部分を除いて、該収容体２６の下板部２９を覆うような平板として形成されている。
【００３２】
上記上板部３３には、中央にガイド孔３５が貫通形成され、その周囲に扇状の孔部３７が三箇所に設けられている。各孔部３７は、既述の第一半体コネクタ１０の下端側に設けられたボス１４Ａを上記ガイド孔３５に挿入したときに、対応する連結片１５の舌片部１５Ｃが入り込める大きさそして形状となっている。さらに、上記孔部３７には、上記舌片部１５Ｃが該孔部３７へ挿入された後に、第一半体コネクタ１０を該舌片部１５Ｃの延出方向に回転したときに該舌片部１５Ｃの進入を許容する溝部３７Ａが上記上板部３３の裏面側に上記孔部３７へ連通して形成されている。
【００３３】
さらに上記カバー体２７の上板部３３の側縁には、上記収容体２６の上板部２８に形成された収容空間２８Ｃへその開放側方から挿入される際にガイドされるガイド部３８及び各孔部３７の外周に連設された周溝部３９（図２参照）も形成されている。
【００３４】
このように構成される本実施形態のコネクタは、次の要領で組立てされ、使用される。
【００３５】
＜組立て及び使用要領＞
（１）先ず、図３におけるカバー体２７の裏側に形成された各溝（図示せず）へ対応せる端子２３，２４，２５をそれぞれ収める。
【００３６】
（２）次に収容体２６を、上記端子２３，２４，２５が収められたカバー体２７へ取りつける。その結果、端子２３，２４，２５の結合部２３Ａ，２４Ａ，２５Ａも上記収容体２６の収容空間２８Ｃ内の所定位置に収まり底板２８Ｂにより支えられる。かくして、端子２３，２４，２５はそれらの結合部２３Ａ，２４Ａ，２５Ｂがカバー体２７の上板部３３の孔部３７内に位置するようにして該上板部３３で覆われ、また、結線部２３Ｂ，２４Ｂ，２５Ｂを除いて下板部３４により覆われ、各端子の結線部２３Ｂ，２４Ｂ，２５Ｂは露呈する。かくして、図１のごとくの第二半体コネクタ２０を得る。
【００３７】
（３）一方、第二半体コネクタ２０は、図２に見られるごとく、取付対象部材あるいは機器、例えばサーボモータＭの所定位置へ取付ける。そして、結線部２３Ｂ，２４Ｂ，２５Ｂへ上記サーボモータＭの対応ケーブルＣをそれぞれ半田結線する。そして、サーボモータＭのカバー（図示せず）を取付ける。
【００３８】
（４）しかる後、図１におけるように第一半体コネクタ１０と第二半体コネクタ２０とを結合する。この結合は、第一半体コネクタ１０の下端側の位置決め用のボス１４Ａ及び外周の突部１４Ｃを第二半体コネクタ２０のガイド孔３５及び周溝部３９へ挿入（案内）し、三つの端子の舌片部１５Ｃを、第二半体コネクタ２０の対応孔部３７に挿入してから、上記舌片部１５Ｃの延出方向に所定角だけ回転する。この回転により第一半体コネクタ１０の舌片部１５Ｃは第二半体コネクタ２０の端子の結合部２３Ａ，２４Ａ，２５Ａに嵌入され、電気的にも機械的にもこの二つの半体コネクタ１０，２０は結合される。又、突部１４Ｃが、周溝部３９へ挿入されることにより、外部からの粉塵等の侵入を防止する。
【００３９】
（５）第一半体コネクタ１０をフランジ１２にて取付対象部材に位置づけてから、ねじ孔１２へのねじ体により取付ける。
【００４０】
（６）このように、所定位置に取りつけられたコネクタに対し、第一半体コネクタ１０の嵌合筒部１１にて相手コネクタ（図示せず）を嵌合させ、使用可能状態を得る。
【００４１】
本発明は、図示された状態に限定されず、種々変更が可能である。
【００４２】
先ず、第一及び第二半体コネクタの結合のための嵌合部及び受入部は両半体コネクタの相対回転による周方向での嵌入でなく、直線方向でのスライド移動による嵌入であってもよい。また、第二半体コネクタの配列部は弧状板でなくとも、対象機器の取付面に対応した形とすることができる。要は配列部における端子の結線部同士間が大きい間隔をもっていればよい。さらには、第一及び第二半体コネクタは一体に形成されていても良い。さらには、第一半体コネクタは、後部絶縁体１４と嵌合筒状部１１、連結片１５と端子１３のそれぞれが一体に形成されていても良い。
【図面の簡単な説明】
【００４３】
【図１】本発明の一実施形態としてのコネクタの斜視図である。
【図２】図１のコネクタの部分破断斜視図である。
【図３】図１のコネクタの分解斜視図である。
【符号の説明】
【００４４】
１０  第一半体コネクタ        １５  嵌入部（舌片部）
１１  嵌合筒状部              ２０  第二半体コネクタ
１３  端子                    ２３Ａ，２４Ａ，２５Ａ  受入部（結合部）
１３Ａ  接触部                ２３Ｂ，２４Ｂ，２５Ｂ  結線部
【図１】
2006031986.tif 000003
【図２】
2006031986.tif 000004
【図３】
2006031986.tif 000005